(57)【要約】【課題】停電中の消費電力を抑えることで、会話できる時間を長くすることができるコードレス電話機を提供する。【解決手段】コードレス電話機１は、停電になると、親機２の充電部２６に載置されたコードレス子機３から電源の供給を受け動作する。親機２は、コードレス子機３の２次電池ＢＴの消費電流を抑えるために、コードレス子機３から送信された無線電波情報であって、コードレス子機３の子無線部３９が受信した親機２の親無線部２１からの無線信号の受信信号強度を示す無線電波情報に応じて、親無線部２１の送信電力を、通信エラーが発生しないレベルまで低下させる省電力送信モードに切り替えるよう親無線部２１に指示する。【選択図】図２
2012199599.tif 000002
【特許請求の範囲】
【請求項１】
コードレス子機と、親機との間で無線通信を行うコードレス電話機において、
前記親機は、
外部電源から電力を基に親機内の各部に適正な電圧で電力を供給するための電源回路と、
前記電源回路からの電力で動作可能な第１の制御部および第１の無線通信部と、
前記コードレス子機が充電部に載置された場合に、前記コードレス子機側の端子と接触可能な第１の端子と、
前記第１の端子を介して前記コードレス子機内の２次電池を充電するための充電電流を供給する充電回路とを有し、
前記コードレス子機は、
前記親機の充電部に載置されたときに、前記第１の端子と接触する第２の端子と、
前記第１の端子および第２の端子を介して前記充電回路から送られる充電電流により充電される２次電池と、
前記２次電池からの電力により動作可能な第２の制御部および第２の無線通信部とを有し、
さらに前記親機は、
外部からの電力供給があるときには遮断し、外部からの電力供給が停止したときには導通することにより、前記第１および第２の端子を介して前記コードレス子機から供給される電力を、前記第１の制御部および第１の無線通信部へ供給するためのスイッチ回路を有し、
前記親機の第１の制御部は、外部からの電力供給が停止したときに、前記コードレス子機からの無線電波情報であって、前記コードレス子機の第２の無線通信部が受信した前記親機の第１の無線通信部からの無線信号の受信信号強度を示す無線電波情報に応じて、前記第１の無線通信部の送信電力を、通信エラーが発生しないレベルまで低下させる省電力送信モードに切り替えるよう前記第１の無線通信部に指示することを特徴とするコードレス電話機。
【請求項２】
前記コードレス子機の第２の制御部は、
ハンドフリー通話機能を有し、
前記親機から外部電力供給停止を示す情報が伝達され、かつ前記親機の充電部に載置された場合に、通話動作開始を示す情報が伝達されると前記ハンドフリー通話機能を起動することを特徴とする請求項１記載のコードレス電話機。
【請求項３】
前記親機の第１の制御部は、外部からの電力供給が停止したときに、前記第１の無線通信部を介して前記コードレス子機へ電力供給停止を示す情報を伝達し、
前記コードレス子機は、前記第２の制御部により制御される表示部を有し、
前記コードレス子機の第２の制御部は、前記親機からの電力供給停止を示す情報を、前記第２の無線通信部を介して受信すると、前記親機に対する外部からの電力供給が停止した状態であることを前記表示部に表示することを特徴とする請求項１記載のコードレス電話機。
【請求項４】
前記親機は、外部からの電力または前記コードレス子機内の２次電池からの電力で受電され、前記第１の制御部および第１の無線通信部の動作を持続可能にする大容量のキャパシタを有することを特徴とする請求項１記載のコードレス電話機。
【請求項５】
コードレス子機と、親機との間で無線通信を行うコードレス電話機において、
前記親機は、
外部電源から電力を基に親機内の各部に適正な電圧で電力を供給するための電源回路と、
前記電源回路からの電力で動作可能な第１の制御部および第１の無線通信部と、
コードレス子機が充電部に載置された場合に、前記コードレス子機側の端子と接触可能な第１の端子と、
第１の端子を介して前記コードレス子機内の２次電池を充電するための充電電流を供給する充電回路とを有し、
前記コードレス子機は、
前記親機側の第１の端子と接触可能な第２の端子と、
前記第１の端子および第２の端子を介して前記充電回路から送られる充電電流により充電される２次電池と、
前記２次電池からの電力により動作可能な第２の制御部および第２の無線通信部と、第２の制御部により制御される表示部とを有し、
さらに前記親機は、
外部からの電力供給があるときには遮断し、外部からの電力供給が停止したときには導通することにより、前記第１および第２の端子を介して前記コードレス子機から供給される電力を前記第１の制御部および第１の無線通信部へ供給するためのスイッチ回路とを有し、
前記親機の第１の制御部は、
外部からの電力供給が停止したときに、前記第１の無線通信部を介して通信可能な全てのコードレス子機へ電力供給停止を示す情報を伝達し、
該情報を受信した各コードレス子機の第２の制御部は、電力供給停止を示す情報を前記表示部に表示し、
前記親機と通信可能な全てのコードレス子機のうち第１のコードレス子機が、前記親機の充電部に載置されたときに、他のコードレス子機は、前記第１のコードレス子機内の２次電池により動作する親機と通信が可能である
ことを特徴とするコードレス電話機。
【請求項６】
前記スイッチ回路は、トランジスタ及び電界効果トランジスタなどの半導体素子から構成される請求項１または５記載のコードレス電話機。
【発明の詳細な説明】
【技術分野】
【０００１】
本発明は、２次電池から電源が供給されるコードレス子機と、電灯線から電源が供給される親機とを備えたコードレス電話機に関するものである。
【背景技術】
【０００２】
コードレス電話機は、コードレス子機を持ち、電話回線に接続された親機から離れて通話相手と会話ができるので、利便性が高い。しかし、停電時では、親機は、電灯線から電源が得られなくなり、コードレス子機との通信ができなくなることで、通話ができなくなる。
【０００３】
そこで、停電時でも通話ができるコードレス電話機が開発されている。例えば、特許文献１には、コードレス子機が親機との無線リンクが途絶したことを検出すると、コードレス子機の切替回路を切り替えてバッテリからの電流をバックアップ電流として親機へ通電することで、停電時でも親機とコードレス子機との間で通信できるようにしたコードレス電話機が記載されている。
【先行技術文献】
【特許文献】
【０００４】
【特許文献１】特開２００７−２４３２８１号公報
【発明の概要】
【発明が解決しようとする課題】
【０００５】
しかし、特許文献１に記載のコードレス電話機では、コードレス子機に搭載した２次電池により当該コードレス子機と親機の両方を動作させているため、停電中は消費電流が増大し、通話時間が非常に短いことが懸念される。
【０００６】
そこで本発明は、停電中の子機内電池の消耗を抑えることで、会話できる時間を長くすることができるコードレス電話機を提供することを目的とする。
【課題を解決するための手段】
【０００７】
本発明は、コードレス子機と、親機との間で無線通信を行うコードレス電話機において、親機への外部からの電力供給が停止したときに、コードレス子機が受信した親機の無線信号の信号強度に応じて、親機がコードレス子機へ送信する無線信号の送信電力を通信エラーが発生しないレベルまで低下させる省電力送信モードを設けた。
【０００８】
また親機が複数台のコードレス子機と通信可能は場合において、親機の外部からの電力供給が停止したときに親機から各コードレス子機へ電力供給停止を示す情報を伝達し、該情報を受信した各コードレス子機は電力供給停止を示す情報を表示部に表示するようにした。
【０００９】
電力供給停止の時、親機と通信可能な複数のコードレス子機の中の１台を親機の充電部に載置すれば、他のコードレス子機は親機から離した状態でも通話可能となる。ことを特徴とする。
【発明の効果】
【００１０】
本発明のコードレス電話機は、外部電力供給停止の時に親機の送信電力を調整することで親機側での電力消費を極力抑えることができるので、停電中でも会話できる時間を長くすることができる。また電力供給停止の時、親機と通信可能な複数のコードレス子機の中の１台を親機の充電部に載置すれば、この親機に載置されたコードレス子機の電池は主に親機が動作するための電力を賄えば良く、該コードレス子機は通話のための送信動作をする必要がないので電力消費を抑え、会話できる時間を長くすることができるとともに、他のコードレス子機を親機から離した状態で通話することが可能であり、コードレス電話機としての利便性が保たれる。
【図面の簡単な説明】
【００１１】
【図１】本発明の実施の形態に係るコードレス電話機を示す斜視図
【図２】図１に示すコードレス電話機の構成を示すブロック図
【図３】（ａ）図１に示すコードレス電話機の親機の平面図、（ｂ）図１に示すコードレス電話機の親機のは後側から見た図
【図４】図１に示すコードレス電話機の子機の斜視図
【図５】図２に示す親機の電圧検出回路の一例を示す回路図
【図６】図２に示す親機の親充電回路の一例を示す回路図
【図７】図２に示す親機のスイッチ回路の一例を示す回路図
【図８】図２に示す子機の子充電回路の一例を示す回路図
【図９】図２に示す子機の子定電流回路の一例を示す回路図
【図１０】図１に示すコードレス電話機の親機の動作を説明するためのフローチャート
【図１１】図１に示すコードレス電話機の子機であって、親機の充電部に載置されている子機の動作を説明するためのフローチャート
【図１２】図１に示すコードレス電話機の子機であって、子機が親機の充電部に載置されているときの他の子機の動作を説明するためのフローチャート
【図１３】図１に示すコードレス電話機の子機であって、子機が親機の充電部に載置されていないときの子機の動作を説明するためのフローチャート
【図１４】図１３に続く子機の動作を説明するためのフローチャート
【図１５】親機が行う送信電力の調整を説明するための図
【図１６】子機における受信レベルと通信エラー率の関係を示す特性図
【発明を実施するための形態】
【００１２】
本願の第１の発明は、コードレス子機と、親機との間で無線通信を行うコードレス電話機において、親機は、外部電源から電力を基に親機内の各部に適正な電圧で電力を供給するための電源回路と、電源回路からの電力で動作可能な第１の制御部および第１の無線通信部と、コードレス子機が充電部に載置された場合に、コードレス子機側の端子と接触可能な第１の端子と、第１の端子を介してコードレス子機内の２次電池を充電するための充電電流を供給する充電回路とを有し、コードレス子機は、親機の充電部に載置されたときに、第１の端子と接触する第２の端子と、第１の端子および第２の端子を介して充電回路から送られる充電電流により充電される２次電池と、２次電池からの電力により動作可能な第２の制御部および第２の無線通信部とを有し、さらに親機は、外部からの電力供給があるときには遮断し、外部からの電力供給が停止したときには導通することにより、第１および第２の端子を介してコードレス子機から供給される電力を、第１の制御部および第１の無線通信部へ供給するためのスイッチ回路を有し、前記親機の第１の制御部は、外部からの電力供給が停止したときに、前記コードレス子機からの無線電波情報であって、前記コードレス子機の第２の無線通信部が受信した前記親機の第１の無線通信部からの無線信号の受信信号強度を示す無線電波情報に応じて、前記第１の無線通信部の送信電力を、通信エラーが発生しないレベルまで低下させる省電力送信モードに切り替えるよう前記第１の無線通信部に指示することを特徴としたコードレス電話機である。
【００１３】
第１の発明によれば、外部からの電力供給が停止したときに、親機は省電力送信の動作に切り替わり、コードレス子機から送信される親機からの無線信号の受信信号強度を示す無線電波情報に応じて、コードレス子機への無線信号の送信電力を、通信エラーが発生しないレベルまで低下させるので、親機側での電力消費を極力抑え、比較的長時間の音声通話を続けることができる。
【００１４】
本願の第２の発明は、第１の発明において、前記コードレス子機の第２の制御部は、
ハンドフリー通話機能を有し、親機から外部電力供給停止を示す情報が伝達され、かつ親機の充電部に載置された場合に、通話動作開始を示す情報が伝達されるとハンドフリー通話機能を起動することを特徴としたコードレス電話機である。
【００１５】
本願の第２の発明によれば、コードレス子機を親機の充電部に載置した状態で着信があった場合、使用者は特別にハンドフリー通話機能を起動する操作をすることなく、自動的にハンドフリー通話が開始されることになり、コードレス子機を親機に載置した状態での通話にはいることができる。
【００１６】
本願の第３の発明は、第１の発明において、親機の第１の制御部は、外部からの電力供給が停止したときに、第１の無線通信部を介してコードレス子機へ電力供給停止を示す情報を伝達し、コードレス子機は、第２の制御部により制御される表示部を有し、コードレス子機の第２の制御部は、親機からの電力供給停止を示す情報を、第２の無線通信部を介して受信すると、親機に対する外部からの電力供給が停止した状態であることを表示部に表示することを特徴したコードレス電話機である。
【００１７】
第３の発明によれば、外部からの電力供給が停止したとき、コードレス子機の使用者に電源の異常を知らせたり、親機への充電部への載置を促すことができる。
【００１８】
本願の第４の発明は、第１の発明において、親機は、外部からの電力またはコードレス子機内の２次電池からの電力で受電され、第１の制御部および第１の無線通信部の動作を持続可能にする大容量のキャパシタを有することを特徴としたコードレス電話機である。
【００１９】
第４の発明によれば、コードレス子機が親機から離された状態で、親機への外部電力の供給が停止された場合や、または外部電力停止状態でコードレス子機内の電池で親機が動作し、その状態でコードレス子機が親機から取り外された場合でも、しばらくの間は大容量のキャパシタにより親機の動作は維持されるので、通話が突然切れることが無く、コードレス子機と親機を離した状態での通話を維持することができる。
【００２０】
本願の第５の発明は、コードレス子機と、親機との間で無線通信を行うコードレス電話機において、親機は、外部電源から電力を基に親機内の各部に適正な電圧で電力を供給するための電源回路と、電源回路からの電力で動作可能な第１の制御部および第１の無線通信部と、コードレス子機が充電部に載置された場合に、コードレス子機側の端子と接触可能な第１の端子と、第１の端子を介してコードレス子機内の２次電池を充電するための充電電流を供給する充電回路とを有し、コードレス子機は、親機側の第１の端子と接触可能な第２の端子と、第１の端子および第２の端子を介して充電回路から送られる充電電流により充電される２次電池と、２次電池からの電力により動作可能な第２の制御部および第２の無線通信部と、第２の制御部により制御される表示部とを有し、さらに親機は、充電回路の出力電圧が低下した場合に、コードレス子機内の２次電池より第１の端子および第２の端子を介して逆流する電流が充電回路へ流れ込まない様に遮断するための逆流防止回路と、外部からの電力供給があるときには遮断し、外部からの電力供給が停止したときには導通することにより、第１および第２の端子を介してコードレス子機から供給される電力を第１の制御部および第１の無線通信部へ供給するためのスイッチ回路とを有し、親機の第１の制御部は、外部からの電力供給が停止したときに、第１の無線通信部を介して通信可能な全てのコードレス子機へ電力供給停止を示す情報を伝達し、該情報を受信した各コードレス子機の第２の制御部は、電力供給停止を示す情報を表示部に表示し、親機と通信可能な全てのコードレス子機のうち第１のコードレス子機が、親機の充電部に載置されたときに、他のコードレス子機は、第１のコードレス子機内の２次電池により動作する親機と通信が可能であることを特徴としたコードレス電話機である。
【００２１】
第５の発明によれば、電力供給停止の時、親機と通信可能な複数のコードレス子機の中の１台を親機の充電部に載置すれば、このコードレス子機の電池は主に親機が動作するための電力を賄えば良く、該コードレス子機は通話のために送信動作をする必要がないので電力消費を抑えることができる。また使用者は他のコードレス子機を親機から離した状態で使い、通話することができるので、コードレス電話機としての利便性が保たれる。
【００２２】
本願の第６の発明は、第１または第５の発明において、スイッチ回路はトランジスタ及び電界効果トランジスタなどの半導体素子から構成されるコードレス電話機である。
【００２３】
（実施の形態）
本発明の実施の形態に係るコードレス電話装置について、図面に基づいて説明する。
【００２４】
図１に示すコードレス電話機１は、電話回線に接続された親機２と、親機２と無線通信する２台のコードレス子機３（３ｘ，３ｙ）とを備えている。以下、コードレス子機を、単に子機と称する。図１では、一方のコードレス子機３ｘが親機２の充電部に載置され、他方のコードレス子機３ｙは他の充電台４に載置された状態を示す。
【００２５】
親機２は、電灯線に接続されるＡＣアダプタ２ａにより電源が供給される。子機３ｘは、親機２に搭載されることで電源が供給され、子機３ｘに実装された２次電池が充電される。子機３ｙは、充電台４に搭載されることで、電灯線に接続されるＡＣアダプタ２ａから電源が供給され、子機３ｙに実装された２次電池が充電される。
【００２６】
親機２は、図２に示すように、第１の制御部である電話部２０と、第１の無線通信部である親無線部２１と、電源回路２２と、親定電圧回路２３と、電圧検出回路２４と、親充電回路２５と、充電部２６と、スイッチ回路２７と、キャパシタ２８と、スピーカ部２９とを備えている。
【００２７】
電話部２０は、回線インタフェース部２０ａと、親電話制御部２０ｂとを備えている。
【００２８】
回線インタフェース部２０ａは、電話回線と接続され、着信信号を検知すると共に、電話回線との音声アナログ信号と、親電話制御部２０ｂとの音声デジタル信号とを相互変換する機能を有する。回線インタフェース部２０ａは、図３（ｂ）に示すように、背面側の凹部２ｂに下方に向かって差し込み口が設けられた公衆回線接続コネクタ２ｃに電話ケーブルの一端を接続し、他端を壁面に設置されたモジュラージャックに接続することで、電話回線と接続される。
【００２９】
図２に示す親電話制御部２０ｂは、親機２全体を統括制御するもので、親無線部２１を介して、音声デジタル信号を子機３と送受信したり、子機３へ停電情報を送信したり、親無線部２１に対して送信電力の調整を行ったりするものである。親電話制御部２０ｂは、プロセッサと、このプロセッサを動作させるための周辺回路とから形成されている。
【００３０】
親無線部２１は、親機２が主制御局、子機３が従局となって、ＴＤＭＡ（時分割多重）で通信するための変調および復調を行い、アンテナ２１ａを介して子機３と音声デジタル信号を送受信する。また、親無線部２１は、親電話制御部２０ｂからの指示により子機３への無線信号の送信電力を調整する機能を備えている。
【００３１】
電源回路２２は、図３（ｂ）に示す凹部２ｂに設けられた外部電源コネクタ２ｄに接続されるＡＣアダプタ２ａからの直流電圧を低圧して、適正な電圧で電力を供給するＤＣ／ＤＣコンバータである。本実施の形態では、電源回路２２はＡＣアダプタ２ａからの直流６．５Ｖを直流２．５Ｖに変換するダウンコンバータである。
【００３２】
親定電圧回路２３は、安定した直流電圧を電話部２０および親無線部２１へ供給する定電圧源で、電源回路２２からの直流２．５Ｖを、さらに直流１．８Ｖに低圧するものである。
【００３３】
電圧検出回路２４は、ＡＣアダプタ２ａからの直流電圧が所定電圧以下となったことを検出すると、停電検知信号を有効とすることで、停電であることを親電話制御部２０ｂおよびスイッチ回路２７へ通知する。また、電圧検出回路２４は、所定電圧以上にＡＣアダプタ２ａからの直流電圧が復帰したことを検出すると、停電検知信号を無効することで、復電したことを親電話制御部２０ｂおよびスイッチ回路２７へ通知する。
【００３４】
ここで、電圧検出回路２４の一例について、図５に基づいて詳細に説明する。本実施の形態では、電圧検出回路２４は、外部電源コネクタ２ｄに接続された分割抵抗Ｒ１１，Ｒ１２と、ベースＢが分割抵抗Ｒ１１，Ｒ１２の接続点に接続され、コレクタＣが抵抗Ｒ１３を介在させて電源Ｖｃｃに接続され、エミッタＥが接地されたトランジスタＴｒ１とにより形成されている。このトランジスタＴｒ１のコレクタＣがスイッチ回路２７に接続されていると共に、親電話制御部２０ｂに接続されていることで、電圧検出回路２４は、外部からの電力供給の有無を伝達する。
【００３５】
親充電回路２５は、子機３に実装される２次電池ＢＴを充電するための充電電流を出力する定電流源である。ここで、親充電回路２５の一例について、図６に基づいて詳細に説明する。親充電回路２５は、トランジスタＴｒ２１，２２と、抵抗Ｒ２１，Ｒ２２と、ダイオードＤ１とにより形成されている。トランジスタＴｒ２１は、エミッタＥが外部電源コネクタ２ｄと抵抗Ｒ２１の一端とに接続され、ベースＢが抵抗Ｒ２１の他端とトランジスタＴｒ２２のエミッタＥに接続され、コレクタＣがトランジスタＴｒ２２のベースＢと抵抗Ｒ２２の一端に接続されている。トランジスタＴｒ２２は、コレクタＣがダイオードＤ１のアノードＡに接続されている。抵抗Ｒ２２は、他端が接地されている。逆流防止回路として機能するダイオードＤ１のカソードＫが、詳細には後述する充電部２６の端子Ｔ１１に接続されて、子機３からのバックアップ電流として流れる電流が、親充電回路２５内に逆流することを防止している。
【００３６】
充電部２６は、例えば図３（ａ）に示すように親機２上に形成された凹部２ｅであり、充電時はこの凹部２ｅ内に子機３が載置される。この凹部２ｅの底部には、２つの端子Ｔ１１，Ｔ１２が設けられている。端子Ｔ１１，Ｔ１２は、子機３の２次電池へ充電電流を供給するための第１の端子である。端子Ｔ１１は正極端子であり、端子Ｔ１２は親機２のグランドと接続されている接地端子である。
【００３７】
スイッチ回路２７は、電圧検出回路２４からの停電検知信号が無効（非停電状態）であれば遮断状態とし、停電検知信号が有効（停電状態）であれば接続状態とするものである。ここで、スイッチ回路２７の一例について、図７に基づいて詳細に説明する。スイッチ回路２７は、トランジスタＴｒ３１，３２と、抵抗Ｒ３，Ｒ４とから形成されている。トランジスタＴｒ３１は、ベースＢがＲ４を介して電圧検出回路２４に接続され、コレクタＣが抵抗Ｒ３の一端に接続され、エミッタＥが接地されている。トランジスタＴｒ３２は、ベースＢが抵抗Ｒ３の他端に接続され、エミッタＥが端子Ｔ１１に接続され、コレクタＣが親定電圧回路２３に接続されている。
【００３８】
図２に示すキャパシタ２８は、電源回路２２からの充電電流や、子機３からのバックアップ電流により充電されるコンデンサである。本実施の形態では、キャパシタ２８として容量が大きい電気二重層コンデンサを使用している。
【００３９】
スピーカ部２９は、親電話制御部２０ｂから出力された着呼を報知する音声を鳴動するためのアンプ付きのスピーカである。
【００４０】
次に、子機３について説明する。子機３は、端子Ｔ２１，Ｔ２２と、子充電回路３０と、子定電圧回路３１と、２次電池ＢＴと、子定電流回路３２と、第２の制御部である子電話制御部３３と、スピーカ部３４と、レシーバ部３５と、マイク部３６と、キーパッド部３７と、表示部３８と、第２の無線通信部である子無線部３９と、電流監視部４０とを備えている。
【００４１】
図４に示すように、子機３の基端部に設けられた端子Ｔ２１，Ｔ２２は、子機３を親機２の充電部２６に載置して端子Ｔ１１，Ｔ１２と接触させて充電電流を入力するための第２の端子である。充電部２６である図３（ａ）に示す親機２の凹部２ｅに、子機３の底部を載置したときに、端子Ｔ１１，Ｔ１２と接触するように、子機３の端子Ｔ２１，Ｔ２２は、図４に示すように子機３の底部に設けられている。
【００４２】
子充電回路３０は、親機２や充電台４から供給される充電電流を入力して２次電池ＢＴに供給する。子充電回路３０は、例えば、図８に示すように、親充電回路２５と同様の回路構成（図６参照）とすることができる。図８に示す子充電回路３０は、トランジスタＴｒ４１，４２と、抵抗Ｒ４１，Ｒ４２と、ダイオードＤ２とにより形成されている。トランジスタＴｒ４１は、エミッタＥが端子Ｔ２１と抵抗Ｒ４１の一端とに接続され、ベースＢが抵抗Ｒ４１の他端とトランジスタＴｒ４２のエミッタＥに接続され、コレクタＣがトランジスタＴｒ４２のベースＢと抵抗Ｒ４２の一端に接続されている。トランジスタＴｒ４２は、コレクタＣがダイオードＤ２のアノードＡに接続されている。抵抗Ｒ４２は、他端が接地されている。逆流防止回路として機能するダイオードＤ２のカソードＫが、２次電池ＢＴに接続されて、２次電池ＢＴからのバックアップ電流が、子充電回路３０内に逆流することを防止している。
【００４３】
子定電圧回路３１は、安定した直流電圧を、子電話制御部３３や、キーパッド部３７、表示部３８、子無線部３９へ供給する定電圧源で、親機２の電源回路２２からの直流２．５Ｖをさらに直流１．８Ｖに低圧するものである。
【００４４】
子定電流回路３２は、外部からの電力供給が停止したときに、２次電池ＢＴからのバックアップ電流を親機２へ端子Ｔ２１，Ｔ１１を介して供給するためのものである。ここで、子定電流回路３２の一例について、図９に基づいて説明する。
【００４５】
図９に示す子定電流回路３２は、親充電回路２５と同様の回路構成（図６参照）とすることができる。子定電流回路３２は、トランジスタＴｒ５１，５２と、抵抗Ｒ５１，Ｒ５２と、ダイオードＤ３とにより形成されている。トランジスタＴｒ５１は、エミッタＥが２次電池ＢＴと抵抗Ｒ５１の一端とに接続され、ベースＢが抵抗Ｒ５１の他端とトランジスタＴｒ５２のエミッタＥに接続され、コレクタＣがトランジスタＴｒ５２のベースＢと抵抗Ｒ５２の一端に接続されている。トランジスタＴｒ５２は、コレクタＣがダイオードＤ３のアノードＡに接続されている。抵抗Ｒ５２は、他端が接地されている。逆流防止回路として機能するダイオードＤ３のカソードＫが、端子Ｔ２１に接続されて、親機２からの充電電流が、子定電流回路３２内に逆流することを防止している。
【００４６】
図２に示す子電話制御部３３は、子機３全体を統括制御するもので、子無線部３９を介して音声デジタル信号を親機２と送受信したり、親機２からの停電情報に応じて制御を行ったりするものである。また、子電話制御部３３は、子無線部３９により測定された親機２からの無線信号の受信信号強度を親機２へ通知する。
【００４７】
スピーカ部３４は、図４に示すように、子機３の背面側に設けられ、ハンズフリー通話の際に、子電話制御部３３からの音声信号をアンプにより増幅して音声として出力する。レシーバ部３５は、子機３の先端部に設けられ、音声を再生するためのスピーカである。マイク部３６は、音声を入力して音声信号として子電話制御部３３へ出力する。キーパッド部３７は、数字キーや記号キー、機能キーを備えた操作キー群である。このキーパッド部３７の各キーは、光透過性の樹脂で形成され、内側にバックライトとして機能するＬＥＤが設けられている。表示部３８は、子電話制御部３３の表示データに基づいて表示するＬＣＤである。
【００４８】
子無線部３９は、親機２とＴＤＭＡで通信するための変調および復調を行い、アンテナ３９ａを介して音声デジタル信号を送受信する。また、子無線部３９は、親機２からの無線信号の受信信号強度を測定して、子電話制御部３３へ通知する。
【００４９】
電流監視部４０は、子定電流回路３２が親機２へ向けて２次電池ＢＴからの電流を流しているか否かを監視し、通電状態を子電話制御部３３へ通知する。
【００５０】
以上のように構成された本発明の実施の形態に係るコードレス電話装置の使用状態および動作を説明する。
【００５１】
まず、非停電状態のときの通常の使用状態を説明する。外部からの電力供給が可能である場合には、ＡＣアダプタ２ａから直流電圧６．５Ｖが供給される。外部電源コネクタ２ｄから電源供給されていると、図５に示す電圧検出回路２４では、分割抵抗Ｒ１１，Ｒ１２の接続点に分割比による電圧降下が発生する。従って、トランジスタＴｒ１はオン状態となるため、コレクタＣからエミッタＥに電流が流れるので、コレクタＣの出力（停電検知信号）は非停電状態（無効）を示すＬレベルとなる。この停電検知信号の無効は、スイッチ回路２７に通知されると共に、親電話制御部２０ｂへ通知される。
【００５２】
スイッチ回路２７では、停電検知信号の無効を示すＬレベルがトランジスタＴｒ３１のベースＢに伝達されることで、トランジスタＴｒ３１がオフ状態となる。従って、トランジスタＴｒ３２もオフ状態である。
【００５３】
ＡＣアダプタ２ａから直流６．５Ｖは、電源回路２２へ供給される。電源回路２２では、直流６．５Ｖが２．５Ｖへ変換される。そして親定電圧回路２３により電話部２０および親無線部２１が動作するのに適正な１．８Ｖに変換される。また、ＡＣアダプタ２ａからの電流は、親充電回路２５へ供給され、端子Ｔ１１を介して子機３へ供給される。
【００５４】
子機３では、親機２の充電部２６に設けられた端子Ｔ１１と接触する端子Ｔ２１から、電流が子充電回路３０へ供給される。このとき、子定電流回路３２にはダイオードＤ３が設けられており、端子Ｔ１１，Ｔ２１の電位が２次電池ＢＴ側の電位より高いため、子定電流回路３２からの回り込み電流はない。
【００５５】
子充電回路３０からの電流は、充電電流となって２次電池ＢＴを充電する充電電流となる。また、子充電回路３０からの電流が子定電圧回路３１へ供給されることで、子電話制御部３３および子無線部３９に対して子定電圧回路３１により適正な電圧で電力が供給される。
【００５６】
このようにして、コードレス電話機１では、非停電状態において外部の電源から各部へ電力が供給される。
【００５７】
次に、停電状態における親機２の動作について、図１０に基づいて説明する。この親機２には子機３ｘが充電部２６に載置されているものとする。
【００５８】
非停電状態であれば、外部電源であるＡＣアダプタ２ａから電源が供給されるので、親機２は子機３との通信を行ったり、電話回線からの着信待ちをするなどの通常処理を行っている（ステップＳ１１０）。
【００５９】
停電が発生すると、ＡＣアダプタ２ａからの電圧が低下するので、親機２の電圧検出回路２４では、分割抵抗Ｒ１１，Ｒ１２の接続点の電位が低下し、トランジスタＴｒ１１がオフ状態となるため、コレクタＣの電位は電源電圧までプルアップされる。従って、コレクタＣの出力（停電検知信号）は停電状態（有効）を示すＨレベルとなる。この停電検知信号の有効は、スイッチ回路２７に通知されると共に、親電話制御部２０ｂへ通知される。また、ＡＣアダプタ２ａからの電圧低下により親充電回路２５から子機３ｘへ電流が流れなくなる。停電が発生していないときにはステップＳ１１０を繰り返す（ステップＳ１２０）。
【００６０】
電圧検出回路２４から停電検知信号のＨレベルが出力されることでスイッチ回路２７は、トランジスタＴｒ３１がオン状態となる。トランジスタＴｒ３１のオン状態に伴ってトランジスタＴｒ３２のベースＢから抵抗Ｒ３１を介してトランジスタＴｒ３１のコレクタＣとエミッタＥとの間に電流が流れる。この電流によって発生する抵抗Ｒ３１の電圧降下によりトランジスタＴｒ３２がオン状態となることで、端子Ｔ１１と親定電圧回路２３とが導通状態となる。このスイッチ回路２７の導通により、子機３ｘ内の２次電池ＢＴから子定電流回路３２を介してバックアップ電流として親機２へ出力された電流は、端子Ｔ２１，Ｔ１１を流れ、スイッチ回路２７を流れて、親定電圧回路２３へ供給される。これにより親機２の電話部２０と親無線部２１とは、停電時にもかかわらず通常動作することができる。
【００６１】
また、子機３ｘでは、親充電回路２５から電流が供給されなくなったことで２次電池ＢＴの充電は停止されるが、子機３ｘの子電話制御部３３と子無線部３９に対しては２次電池ＢＴから電力が供給される。２次電池ＢＴから電力が供給されることで、子電話制御部３３と子無線部３９は動作を維持することができる（ステップＳ１３０）。
【００６２】
親電話制御部２０ｂは、電圧検出回路２４からの停電検知信号により停電であることを認識すると、子機３ｘ全体に対して電力供給停止を示す通知を停電情報として送信する（ステップＳ１４０）。
【００６３】
そして親電話制御部２０ｂは、子機３ｘからの無線信号強度情報に基づいて親無線部２１において無線信号の送信電力を調整する省電力送信モードに切り替える（ステップＳ１５０）。この調整は、子機３にて親機２から送られた無線信号を受信した際の信号強度を検知し、その強度情報を随時親機２へ送り、親機２は子機３からの無線信号強度情報に基づいて送信電力を設定する。図１６は子機における受信レベルと通信エラー率の関係を示す一例であり、受信レベルが弱くなるほどエラー率が高くなる。エラーフリー点は許容される最大のエラー率である。本例では図１６に従い、エラー率がエラーフリー点を越えず、かつエラーが発生しない範囲で最小レベルに近づくように親機２の送信電力を制御する。
【００６４】
すなわち親機２は子機３から随時送られて来る無線信号強度情報を受信し、その信号強度と図１６に示すエラーフリーレベルを比較し、子機からの信号強度がエラーフリーレベルを上回る場合は送信電力を一段下げる処理が実行される。また子機からの信号強度がエラーフリーレベルを下回る場合は送信電力を一段上げる処理が実行される。例えば子機３が親機２に載せられているような場合は、最初は子機３からの無線信号強度情報が強い値を示すので、信号強度がエラーフリーレベルに達するまで送信電力を下げる処理が連続して実行され、親機２は送信電力を大幅に下げる。また子機３が親機２から離された場合は子機３からの無線信号強度情報が弱い値になるため、信号強度がエラーフリーレベル以上を保つように送信電力を上げる処理が実行される。このようにして、必要最小限の送信電力で、通信エラーが発生しない通信を実現する（ステップＳ１５０）。
【００６５】
次のステップＳ１６０で停電検知信号の有無を調べ、電圧検出回路２４からの停電検知信号が有効である場合は、親機２は停電動作処理を行う（ステップＳ１７０）。親機２における停電動作処理は、スピーカ部２９のアンプの電源を切断したり、親電話制御部２０ｂに使用しているプロセッサのクロック周波数を低下させたり、親無線部２１が空きスロットおよび空きチャンネルを監視する間隔を長くしたりすることで、親機２が消費する電力の低減を図っている。
【００６６】
停電が復旧すると、電圧検出回路２４からの停電検知信号が無効となる。この停電検知信号の無効は親電話制御部２０ｂに通知されることで、親電話制御部２０ｂは非停電状態を検知する。停電状態からの復帰に伴い、ＡＣアダプタ２ａから電源回路２２および親充電回路２５へ電力が供給され、親充電回路２５から子機３へ充電電流が供給される。また、停電検知信号が無効となることでスイッチ回路２７は導通が遮断され、子機３からの電流は流れなくなる（ステップＳ１８０）。そして、親電話制御部２０ｂは、子機３に対して復電を示す通知を送信する（ステップＳ１９０）。このようにして、親機２はステップＳ１１０の通常動作に戻る。
【００６７】
次に、親機２の充電部２６に載置されている子機３ｘの動作について、図１１に基づいて説明する。
【００６８】
非停電状態であれば、親機２から電源が供給されるので、子機３ｘは通常処理を行っている（ステップＳ２１０）。
【００６９】
停電が発生すると、親機２がステップＳ１４０（図１０参照）にて電力供給停止を示す通知を送信するので、子機３ｘの子電話制御部３３は電力供給停止を示す通知を受信することで、停電状態となったことを検出する。停電状態でなければステップＳ２１０へ戻る（ステップＳ２２０）。
【００７０】
子電話制御部３３は、停電状態であることを検出すると、表示部３８に「外部電源が遮断しました。」などのメッセージを表示する（ステップＳ２３０）。また停電状態であることを検出し、かつ子機３ｘの定電流回路３２からバックアップ電流が親機２へ流れている場合には、「外部電源が遮断しました。子機を外さないでください」なるメッセージを表示し、充電部２６に載置した状態を維持させることを使用者に促すメッセージを表示するのも良い。
【００７１】
次にステップＳ２４０において、親機からの復電を示す通知を子機が受信したか否かを判定する。親機２から復電を示す通知が送られてない場合には、停電状態であるので、停電動作処理を行う（ステップＳ２５０）。
【００７２】
子機３ｘの停電動作処理は、キーパッド部３７や表示部３８のバックライトの明るさを低減したり、子無線部３９が空きスロットおよび空きチャンネルを監視する間隔を長くしたりすることで、子機３ｘが消費する電力の低減を図っている。
【００７３】
子電話制御部３３は親機２からの無線信号を受信し、その無線信号の受信信号強度（ＲＳＳＩ）を子無線部３９により測定する。そして、子電話制御部３３は、子無線部３９により測定された受信信号強度を無線電波情報として、親機２へ送信する。この無線電波情報により親機２は、ステップＳ１５０にて送信電力の調整を行う。
【００７４】
親機２がステップＳ１９０にて送信した復電を示す通知を子無線部３９を介して受信すると（ステップＳ２４０：Ｙｅｓ）、表示部３８に「外部電源が復旧しました。」などのメッセージを所定時間表示する（ステップＳ２６０）。そして、ステップＳ２１０へ戻り通常処理を行う。
【００７５】
次に、一方の子機３ｘが親機２の充電部２６に載置されているとき、親機２から離された他方の子機３ｙの動作について、図１２に基づいて説明する。
【００７６】
子機３ｙの２次電池ＢＴが十分に充電されていれば、この２次電池ＢＴにより電力が供給されることで子機３ｙは通常処理を行っている（ステップＳ３１０）。
【００７７】
停電が発生すると、親機２がステップＳ１４０（図１０参照）にて電力供給停止を示す通知を送信するので、子機３ｙの子電話制御部３３は電力供給停止を示す通知を受信することで。停電状態となったことを検出する。停電状態でなければステップＳ３１０へ戻る（ステップＳ３２０）。
【００７８】
子機３ｙの子電話制御部３３は、停電状態であることを検出したことにより、表示部３８に「外部電源が遮断しました」など、使用者に停電発生のメッセージを表示する（ステップＳ３３０）。
【００７９】
ステップＳ３４０では、親機２からの復電を示す通知を子電話制御部３３が受信したか否かを判定する（ステップＳ３４０）。復電を示す通知を受信していない場合には、停電状態であるので、停電動作処理を行う（ステップＳ３５０）。
【００８０】
子機３ｙの停電動作処理は、キーパッド部３７や表示部３８のバックライトの明るさを低減したり、子無線部３９が空きスロットおよび空きチャンネルを監視する間隔を長くしたりすることで、子機３ｙが消費する電力の低減を図っている。
【００８１】
また子機３ｙの子電話制御部３３は親機２からの無線信号を受信し、その無線信号の受信信号強度を子無線部３９により測定する。そして、子電話制御部３３は、子無線部３９により測定された受信信号強度を無線電波情報として、親機２へ送信する。この無線電波情報により親機２は、ステップＳ１５０にて送信電力の調整を行う。
【００８２】
親機２がステップＳ１９０にて送信した復電を示す通知を、子電話制御部３３が子無線部３９を介して受信すると、子機３ｙは表示部３８に「外部電源が復旧しました。」などのメッセージを所定時間表示する（ステップＳ３６０）。そして、ステップＳ３１０へ戻り通常処理を行う。
【００８３】
次に親機２の充電部２６に何れの子機も載置されていない場合の子機（子機３ｘ）の動作を図１３および図１４に基づいて説明する。
【００８４】
子機３ｘは、充電された２次電池ＢＴにより電源が供給されることで、通常処理を行っている（ステップＳ４１０）。
【００８５】
停電が発生すると、親機２から送られる電力供給停止を示す通知により、子機３ｘは停電状態となったことを検出することができる。本実施の形態では、親機２にキャパシタ２８が設けられているため、停電状態であってもキャパシタ２８から供給される電力により親機２はしばらく動作することができる。従って親機２は、外部からの電力供給が停止しても無線部が動作し、子機３へ電力供給停止を示す通知を送信することができる。また親機２の無線部の動作が停止した場合は、子機３ｘは親機２との通信ができなるため、子機３ｘの子電話制御部３３は通信不可を認識することで停電状態となったことを検出する。      
【００８６】
ステップＳ４１０で停電状態が検知されればステップＳ４５０へ移行し、停電状態でなければステップＳ４１０へ戻って通常動作が続く。
【００８７】
子機３ｘの子電話制御部３３は、停電状態であることを検出したこと、かつ子機３ｘが親機２から離れており、バックアップ電流が子定電流回路３２から親機２へ流れていないことを条件に、表示部３８に「外部電源が遮断しました。親機との通信ができません。停電モードに切り替えてください」など子機３ｘを停電モードに切り替えることを促すメッセージを表示する（ステップＳ４３０）。
【００８８】
使用者は表示部３８に表示されたメッセージを見て、停電モードとする機能キーが設けられたキーパッド部３７を操作する。子電話制御部３３は、停電モードとする機能キーが操作されたか否かを判定する。操作されていなければステップＳ４３０へ移行し、操作待ちをする（ステップＳ４４０）。
【００８９】
停電モードとする機能キーが操作されたことで停電モードとなった子電話制御部３３は、表示部３８に「子機を親機へセットしてください」など、充電部２６に載置することを促すメッセージを表示する（ステップＳ４５０）。
【００９０】
子電話制御部３３は、子定電流回路３２から親機２へのバックアップ電流の有無によって子機３ｘが親機２の充電部２６に載置されているか否かを判定する（ステップＳ４６０）。
【００９１】
子機３ｘ内で親機２へのバックアップ電流有りが検知されると、子機３ｘは親機２の充電部２６に載置されたと判断でき、ステップＳ２３０（図１１）へ移行する。
【００９２】
子機３ｘが親機２の充電部２６に載置されていないと判断された場合には、停電動作処理を行う（ステップＳ４７０）。
【００９３】
この停電動作処理は、ステップＳ２５０（図１１参照）と同様に、キーパッド部３７や表示部３８のバックライトの明るさを低減したり、子無線部３９が空きスロットおよび空きチャンネルを監視する間隔を長くしたりすることで、子機３ｘが消費する電力の低減を図っている。
【００９４】
図１４に示すように、子電話制御部３３は、ダイヤル要求があるか否かを判定する。ダイヤル要求とは、使用者がキーパッド部３７を操作して発信先電話番号の入力を行うことを示す。ダイヤル要求がなければ、ステップＳ４６０へ移行する（ステップＳ４８０）。
【００９５】
ダイヤル要求があれば、子電話制御部３３は、ダイヤル（発信先電話番号）の入力を受け付ける。子電話制御部３３は受け付けた発信先電話番号を子電話制御部３３内の記憶部に格納する（ステップＳ４９０）。
【００９６】
子電話制御部３３は、表示部３８に「子機を親機へセットしてください」など、充電部２６に載置することを促すメッセージを表示する（ステップＳ５００）。
【００９７】
子電話制御部３３は、バックアップ電流が子定電流回路３２から親機２へ流れていることで、子機３ｘが親機２の充電部２６に載置されているか否かを判定する（ステップＳ５１０）。子機３ｘが親機２の充電部２６に載置されていなければステップＳ５００へ移行する。
【００９８】
バックアップ電流によって子機３ｘが親機２の充電部２６に載置されたことが検知された場合、子電話制御部３３は記憶部に格納した発信先電話番号への発呼を子無線部３９から親機２へ依頼する。親機２では、子機３ｘからの依頼により、親電話制御部２０ｂが通知された発信先電話番号に基づいて回線インタフェース部２０ａを介して発呼する（ステップＳ５２０）。
【００９９】
停電モードの子機３ｘは、使用者の音声をマイク部３６から入力し、通話相手の音声をスピーカ部３４から出力することで、ハンドフリー通話を行う（ステップＳ５３０）。
【０１００】
このように、停電やＡＣアダプタ２ａの故障により外部から親機２への電力供給が停止したときに、親機２は省電力送信の動作に切り替わり、子機３ｘから送信される親機２からの無線信号の受信信号強度を示す無線電波情報に応じて、子機３ｘへの無線信号の送信電力を、通信エラーが発生しないレベルまで低下させる。例えば、図１５に示すように、通常動作では送信電力が高出力状態であるが、停電発生後に徐々に送信出力を低下させることで、親機２に載置された子機３ｘであれば、送信電力を最低とすることができ、親機２から離れていれば、通信エラーが発生しない程度の送信電力とすることができる。従って、親機２側での電力消費を極力抑え、比較的長時間の音声通話を続けることができる。
【０１０１】
また、子機３の子電話制御部３３は、親機２からの電力供給停止を示す通知による停電状態の検出により、ハンドフリー通話機能による通話が自動的に可能となるので、操作することなく子機３ｘを親機２に載置した状態で通話に入ることができる。
【０１０２】
また、親機２は停電状態を検出すると、電力供給停止を示す通知をそれぞれの子機３へ送信することで、子機３を使用するそれぞれの使用者に、電源の異常を知らせたり、親機２の充電部２６への載置を促したりすることができる。
【０１０３】
親機２には、親定電圧回路２３へ電力を供給するキャパシタ２８が設けられているため、停電状態であっても電圧検出回路２４からの通知に基づいて電力供給停止を示す通知を子機３へ通知することができる。また、子機３が通話中で親機２の充電部２６から外された状態であっても、親機２はキャパシタ２８が供給する電力により動作可能であるため、しばらくの間は子機３による通話が途切れることなく、子機３と親機２を離した状態での通話を維持することができる。
【０１０４】
子機３ｘが親機２の充電部２６に載置されていることで、外部から電力が供給できない状態の親機２であっても、子機３ｘからの２次電池ＢＴにより電源が供給されるので、親機２から離れた子機３ｙは通話することができる。
【０１０５】
なお、本実施の形態に係るコードレス電話機の親機２においては、電源回路２２と親定電圧回路２３とを別々の構成としているが、２つを合わせて電源回路としてもよい。さらに、親充電回路２５も合わせて電源回路を構成するようにしてもよい。
【０１０６】
また、子機３ｘを親機２から離して通話中に停電が発生したときに、通話が途切れてもよいならば、キャパシタ２８は省略することが可能である。
【産業上の利用可能性】
【０１０７】
本発明は、停電中の消費電力を抑えることで、会話できる時間を長くすることができるので、２次電池から電源が供給される子機と、電灯線から電源が供給される親機とを備えたコードレス電話機に好適である。
【符号の説明】
【０１０８】
１    コードレス電話機
２    親機
２ａ    ＡＣアダプタ
２ｂ    凹部
２ｃ    公衆回線接続コネクタ
２ｄ    外部電源コネクタ
２ｅ    凹部
３，３ｘ，３ｙ    子機
４    充電台
４ａ    ＡＣアダプタ
２０    電話部
２０ａ    回線インタフェース部
２０ｂ    親電話制御部
２１    親無線部
２１ａ    アンテナ
２２    電源回路
２３    親定電圧回路
２４    電圧検出回路
２５    親充電回路
２６    充電部
２７    スイッチ回路
２８    キャパシタ
２９    スピーカ部
３０    子充電回路
３１    子定電圧回路
３２    子定電流回路
３３    子電話制御部
３４    スピーカ部
３５    レシーバ部
３６    マイク部
３７    キーパッド部
３８    表示部
３９    子無線部
３９ａ    アンテナ
４０    電流監視部
ＢＴ    ２次電池
Ｔ１１，Ｔ１２    端子
Ｔ２１，Ｔ２２    端子
【図１】
2012199599.tif 000003
【図２】
2012199599.tif 000004
【図３】
2012199599.tif 000005
【図４】
2012199599.tif 000006
【図５】
2012199599.tif 000007
【図６】
2012199599.tif 000008
【図７】
2012199599.tif 000009
【図８】
2012199599.tif 000010
【図９】
2012199599.tif 000011
【図１０】
2012199599.tif 000012
【図１１】
2012199599.tif 000013
【図１２】
2012199599.tif 000014
【図１３】
2012199599.tif 000015
【図１４】
2012199599.tif 000016
【図１５】
2012199599.tif 000017
【図１６】
2012199599.tif 000018